(57)【要約】      （修正有）【課題】絶縁本体と導入部が一体になり、製作の複雑さを低減する電子カード用コネクタを提供すること。【解決手段】電子カードが挿入される電子カード用コネクタは、複数の端子槽が形成される絶縁本体１と、複数の端子槽に挿入される複数の導電端子３と、絶縁本体に取り付け上ハウジング２とを備える。絶縁本体は、主体部と、主体部から延在して絶縁本体と一体になる導入部と、を含む。上ハウジングは、絶縁本体の上表面を覆う頂壁と、頂壁から下向きに延在する複数の側壁と、頂壁と側壁から形成されて電子カードを収納する挿入槽と、を含む。導入部が挿入槽に向かって突出する。挿入槽は、電子カードが挿入される挿入口を形成し、導入部によって形成された、挿入口の付近の前端と、前記絶縁本体付近にある前端より狭い後端と、を有する。【選択図】図２
0003122475.tif 000002
【実用新案登録請求の範囲】
【請求項１】
電子カードが挿入される電子カード用コネクタであって、
主体部と、複数の端子槽と、前記主体部から延在して絶縁本体と一体になる導入部と、を含む絶縁本体と、
前記複数の端子槽に挿入される複数の導電端子と、
前記絶縁本体に取り付けられ、前記絶縁本体の上表面を覆う頂壁と、該頂壁から下向きに延在する複数の側壁と、前記頂壁と側壁から形成されて電子カードを収納する挿入槽と、を含む上ハウジングと、を備え、
前記導入部が前記挿入槽に向かって突出し、該挿入槽は、電子カードが挿入される挿入口を形成し、前記導入部によって形成された、前記挿入口の付近の前端と、前記絶縁本体の付近にある前記前端より狭い後端と、を有することを特徴とする電子カード用コネクタ。
【請求項２】
前記挿入槽は、Ｌ字状になることによって、Ｌ字状の電子カード或いは矩形の電子カードを挿入できることを特徴とする、請求項１に記載の電子カード用コネクタ。
【請求項３】
前記電子カード用コネクタは、イジェクト機構を有することを特徴とする、請求項１に記載の電子カード用コネクタ。
【請求項４】
前記電子カード用コネクタは、弾性支持力を提供する複数の接地片と複数の固定部が設けられる下ハウジングと、複数のピンと、を具備し、前記下ハウジングには、前記複数のピンが貫通する複数の第３実装孔が形成されることを特徴とする、請求項３に記載の電子カード用コネクタ。
【請求項５】
前記下ハウジングは、阻止部が設けられ、前記導入部には、前記阻止部が嵌め込まれる凹口が形成されることを特徴とする、請求項４に記載の電子カード用コネクタ。
【請求項６】
前記絶縁本体の主体部には、ピンが貫通する第１実装孔が形成され、前記上ハウジングには、ピンが貫通する第２実装孔が形成され、前記絶縁本体と上ハウジングと下ハウジングは、ピンが前記第１、第２、第３実装孔を貫通することによって、一体に取り付けることを特徴とする、請求項４に記載の電子カード用コネクタ。
【請求項７】
前記絶縁本体は、前記主体部の両側に形成される第１、第２側面と、前記主体部の前端から前向きに延在して前記導入部に隣接する接触部と、を有し、該接触部には、縦方向に沿って延在する複数の端子槽が形成されることを特徴とする、請求項１に記載の電子カード用コネクタ。
【請求項８】
前記導入部は、電子カードを導入する導入面を含む導入塊と、電子カードを不正に挿入することを防止できる傾斜面を含む導入板と、を有することを特徴とする、請求項７に記載の電子カード用コネクタ。
【請求項９】
前記絶縁本体の主体部には、複数の凸状部片が設けられ、前記上ハウジングには、該等凸状部片と係合する係合槽が形成されることを特徴とする、請求項８に記載の電子カード用コネクタ。
【請求項１０】
前記電子カード用コネクタは、回路基板に取り付けられる定位板と転換板とを具備し、前記導電端子が、前記定位板によって前記絶縁本体に固着され、前記転換板によって前記回路基板に電気接続されることを特徴とする、請求項１に記載の電子カード用コネクタ。
【考案の詳細な説明】
【技術分野】
【０００１】
本考案は電子カード用コネクタに関し、エクスプレスカードのような電子カードを収容する電子カード用コネクタに関する。
【背景技術】
【０００２】
ピーシーカード（PC Card）は、コンピュータ等電子設備及び通信設備に用いる電子カードである。電子技術の発展に従って、エクスプレスカード（Express Card）は、新型のピーシーカードとして出現している。エクスプレスカードに対応する小型化の電子カード用コネクタは製作されている。
【０００３】
一種の電子カード用コネクタは、絶縁本体と、該絶縁本体に取り付けるハウジングと、絶縁本体に挿入される複数の導電端子と、導入槽が形成される導入部と、を有する。導入部は、絶縁本体に装着される。こうしたカードコネクタの構造は従来技術文献に記載されている（例えば、特許文献１、２参照）。
【特許文献１】特開２００５−１５００８６号公報
【特許文献２】台湾特許第Ｍ２５７５２９号公報
【０００４】
ところで、前記の電子カード用コネクタの絶縁本体と導入部は、別部材である。該電子カード用コネクタを使用する場合は、導入部を絶縁本体に取り付ける必要がある。これにより、該電子カード用コネクタを製作することは、複雑になってきている。
【０００５】
従って、本考案は前記の欠点を克服するために一種の新たな電子カード用コネクタを設計する。
【考案の開示】
【考案が解決しようとする課題】
【０００６】
本考案の目的は、こうした従来の問題点を解決した電子カード用コネクタを提供することである。すなわち、従来の技術とは異なり、絶縁本体と導入部が一体になり、製作の複雑さを低減するエクスプレスカード用コネクタを得られるようにする。
【課題を解決するための手段】
【０００７】
本考案は、電子カードが挿入される電子カード用コネクタに関し、該電子カード用コネクタは、複数の端子槽が形成される絶縁本体と、前記複数の端子槽に挿入される複数の導電端子と、前記絶縁本体に取り付けられる上ハウジングと、を備える。該絶縁本体は、主体部と、該主体部から延在して前記絶縁本体と一体になる導入部と、を含む。前記上ハウジングは、前記絶縁本体の上表面を覆う頂壁と、該頂壁から下向きに延在する複数の側壁と、前記頂壁と側壁から形成されて電子カードを収納する挿入槽と、を含む。前記導入部が該挿入槽に向かって突出する。該挿入槽は、電子カードが挿入される挿入口を形成し、前記導入部によって形成された、前記挿入口付近の前端と、前記絶縁本体付近にある前記前端より狭い後端と、を有する。
【考案の効果】
【０００８】
従来の技術に比べると、本考案は以下の長所がある。本考案の導入部は、絶縁本体の主体部から延在して絶縁本体と一体になる。該電子カード用コネクタが使用する際には、導入部を絶縁本体に取り付ける必要がない。これにより、該電子カード用コネクタを製作することは、簡単になる。該電子カード用コネクタを製作費用は、安くなる。
【考案を実施するための最良の形態】
【０００９】
図２及び図６に示すように、エクスプレスカード（図示せず）が挿入される電子カード用コネクタ１００は、絶縁本体１と、複数の導電端子３と、イジェクト機構４と、上ハウジング２と、下ハウジング５と、定位板６と、転換板７と、ピン８と、を備える。
【００１０】
図２、図４及び図５に示すように、絶縁本体１は、互いに対向する第１、第２側面１１、１２を含む主体部１０と、主体部１０の後端から後向きに延在する延在部１３と、主体部１０の前端に設けられる接触部１４と、主体部１０の前端から前向きに突出し、接触部１４に隣接し、絶縁本体１と一体になる導入部１５と、を備える。その中で、接触部１４と導入部１５は、それぞれ第１、第２側面１１，１２の付近に設けられる。第１、第２側面１１、１２には、それぞれ第１、第２実装孔１１２，１２２と、第１、第２嵌合槽１１３，１２３が形成され、複数の第１、第２凸状部片１１１，１２１が設けられる。第１側面１１の前端の内側には、収納槽１１０が形成される。接触部１４には、縦方向に沿って複数の導電端子３に対応する複数の端子槽１４０が形成される。接触部１４の両端には、係合槽１４１，１４２が形成される。導入部１５は、電子カードを導入する導入面１５０１を含む導入塊１５０と、導入塊１５０から前向きに延在する実質的に三角形の導入板１５１と、を有する。電子カードを不正に挿入することを防止できる傾斜面（標号示せず）を含む導入板１５１の内側には、凹口１５１０が形成される。導入板１５１には、凹口１５１０から突出する突出部１５１２が設けられる。突出部１５１２の上部には、該突出部１５１２と導入塊１５０の側面によって、収納槽１１０に対向する導入槽１５１３が形成される。
【００１１】
図２及び図３において、イジェクト機構４は、固定部４０と、固定部４０の前端に設けられるボタン４１と、固定部４０の後端から後向きに延在する導入アーム４２と、排出部４４及びアーム部４２に連接される可動部４３と、排出部４４と、を有する。アーム部４２には、固定部４２０が設置される。可動部４３は、アーム部４２の固定部４２０に固定される駆動部４３２と、排出部４４に固定される支点４３１と、スロット４３０と、を含む。排出部４４には、上向きに突出し、スロット４３０に係合される凸点４４０が設けられる。排出部４４の前辺には、前記絶縁本体１の係合槽１４１，１４２に収納される係合片４４１，４４２が設けられる。
【００１２】
図２及び図３に示すように、上ハウジング２は、実質的な矩形の頂壁２０と、頂壁２０の対向する一対の側辺から下向きに延在する第１、第２側壁２１，２２と、第２実装孔２４１が形成される一対の実装部２４と、外へ突出する一対の係合片２５と、第２側壁２２に隣接する凸状部片２３と、を有する。頂壁２０には、下向きに突出する一対の弾力片２０１が設けられる。頂壁２０には、支点４３１に対応する支点孔２０２と、開口２０３と、ガイド槽２０４と、が形成される。第１，第２側壁２１、２２には、前記絶縁本体１の凸状部片１１１，１２１と係合する係合槽２６が形成される。第２側壁２２には、外へ突出する係合片２５と複数の支持部２２１が設けられる。
【００１３】
下ハウジング５は、基部５０を有する。基部５０の対向する一対の側辺には、一対の接地片５１と、係合槽５５１，５６１が形成される固定部５５，５６が設けられ、第３実装孔５３，５４が形成される。基部５０の中間には、阻止部５２が設置される。該一対の接地片５１と阻止部５２は、異なる電子カードが挿入されて発生された静電気の妨害を防止でき、電気バランスを実現する弾性支持力を提供できる。
【００１４】
図１、図３及び図６に示すように、該電子カード用コネクタ１００の組み立て時、先ず、複数の導電端子３が絶縁本体１の端子槽１４０に挿入される。定位板６と転換板７は、絶縁本体１に固着される。導電端子３は、固定板６によって絶縁本体１に固着され、転換板７によって回路基板（図示せず）に電気接続される。イジェクト機構４は、導電端子３が挿入される絶縁本体１に固着される。イジェクト機構４の排出部４４は、絶縁本体１の延在部１３に位置し、排出部４４の両端が、絶縁本体１の嵌合槽１１３，１２３に嵌合され、係合片４４１が、係合槽１４１、１４２に係合される。次に、下ハウジング５は、絶縁本体１の底部に取り付ける。阻止部５２は、導入部１５の凹口１５１０に嵌め込まれる。上ハウジング２は、絶縁本体１に実装され、頂壁２０が、絶縁本体１の上表面を覆って、第１、第２側壁２１，２２が、それぞれ絶縁本体１の第１、第２側面１１，１２を覆う。上ハウジング２の複数の支持部２２１は、イジェクト機構２のアーム部２１を支持し、凸状部片２３が、固定部４２０を覆って、固定部４２０の動きをガイドする。イジェクト機構４の凸点４４０は、上ハウジング２の開口２０３から外へ突出することによって、動きが頂壁２０に阻止されない。上ハウジング２の一対の係合片２５は、下ハウジング５の係合槽５５１、５６１に係合される。絶縁本体１の接触部１４の前端には、上ハウジング２の頂壁２０と側壁２１，２２と下ハウジング５とから包囲されることによって、矩形の電子カード或いはL字状の電子カードを収納できるL字状の挿入槽１０１が形成される。挿入槽１０１には、電子カードが挿入される挿入口１０１１が形成される。前記導入部１５は、挿入槽１０１に向かって突出する。該挿入槽１０１は、導入部１５によって、挿入口１０１１の付近の前端が、絶縁本体１の付近の後端より広い。最後、ピン８は、第１、第２、第３実装孔１１２，１２２、２４１、５３，５４を貫通する。これにより、該電子カードコネクタ１００は、一体になる。
【００１５】
使用時、エクスプレスカードが、導入部１５にガイドされ、阻止部５２に阻止されることによって、挿入槽１０１に正確に挿入され、弾力片２０１が弾性的に押圧される。挿入されたエクスプレスカードは、両端が収納槽１１０と導入槽１５１３に収納され、導電端子３に接触し、転換板７によって回路基板に電気接続される導電端子３によって、回路基板に電気接続される。該エクスプレスカードを排出する場合は、ボタン４１を押圧する。可動部４３は、アーム部４２が移動することに伴って、支点４３１を回転中心として回転する。排出部４４は、可動部４３に伴って、外へ移動し、挿入されたエクスプレスカードを排出する。エクスプレスカードは、導電端子に電気接続しない状態にされる。
【００１６】
既して、本考案の多数の特徴及び長所など、その構造及び機能を前述の記載により共に説明した。また、前述の記載や、本考案に基づきなし得る細部の修正或は変更などは、いずれも本考案の請求範囲に属するものである。
【産業上の利用可能性】
【００１７】
本考案は電子カード用コネクタに関し、特に、絶縁本体と導入部が一体になり、製作の複雑さを低減するエクスプレスカード用コネクタに関する。
【図面の簡単な説明】
【００１８】
【図１】本考案の電子カード用コネクタの組立斜視図である。
【図２】本考案の電子カード用コネクタの分解斜視図である。
【図３】本考案の電子カード用コネクタの一部分の組立斜視図である。
【図４】本考案の絶縁本体の斜視図である。
【図５】本考案の絶縁本体の他の斜視図である。
【図６】本考案の電子カード用コネクタの他の組立斜視図である。
【符号の説明】
【００１９】
１  絶縁本体
２  上ハウジング
３  導電端子
４  イジェクト機構
５  下ハウジング
６  定位板
７  転換板
８  ピン
１０  主体部
１１  第１側面
１２  第２側面
１３  延在部
１４  接触部
１５  導入部
２０  頂壁
２１  第１側壁
２２  第２側壁
２３  凸状部片
２４  実装部
２５  係合片
２６  係合槽
４０  固定部
４１  ボタン
４２  アーム部
４３  可動部
４４  排出部
５０  基部
５１  接地片
５２  阻止部
５３、５４  第３実装孔
５５、５６  固定部
１００  電子カード用コネクタ
１０１  挿入槽
１１０  収納槽
１１１、１２１  凸状部片
１１２、１２２  第１実装孔
１１３、１２３  嵌合槽
１４０  端子槽
１４１、１４２  係合槽
１５０  導入塊
１５１  導入板
２０１  弾力片
２０２  支点孔
２０３  開口
２０４  ガイド槽
２２１  支持部
２４１  第２実装孔
４２０  固定部
４３０  スロット槽
４３１  支点
４３２  駆動部
４４０  凸点
４４１、４４２  係合片
５５１、５６１  係合槽
１０１１  挿入口
１５０１  導入面
１５１０  凹口
１５１２  突出部
１５１３  導入槽
【図１】
0003122475.tif 000003
【図２】
0003122475.tif 000004
【図３】
0003122475.tif 000005
【図４】
0003122475.tif 000006
【図５】
0003122475.tif 000007
【図６】
0003122475.tif 000008